(57)【特許請求の範囲】
【請求項１】
通話機能を有する通話端末装置であって、
通話相手との過去の通話中に参照された画面の識別情報と当該画面の表示回数に係る情報とを当該通話相手の識別情報に対応付けて記憶する記憶手段と、
前記通話相手との通話に係る発信または着信があった場合に、前記記憶手段により記憶された当該通話相手の識別情報に対応する画面の識別情報のうち、表示回数が最も多い画面の識別情報を読み出す読出手段と、
前記読出手段により読み出された識別情報に対応する画面を表示する表示手段と、
を備えたことを特徴とする通話端末装置。
【請求項２】
他の装置から受信した通話制御信号に基づいて通話相手の識別情報を検出する検出手段をさらに備え、前記記憶手段は、前記検出手段により検出された通話相手の識別情報に対応付けて所定の画面の識別情報を記憶することを特徴とする請求項１に記載の通話端末装置。
【請求項３】
所定の画面の識別情報および通話相手の識別情報を他の装置から受信する受信手段をさらに備え、前記記憶手段は、前記受信手段により受信された所定の画面の識別情報を通話相手の識別情報に対応付けて記憶することを特徴とする請求項１または２に記載の通話端末装置。
【請求項４】
通話機能を有する通話端末装置に所定の画面を表示する画面表示方法であって、
通話相手との過去の通話中に参照された画面の識別情報と当該画面の表示回数に係る情報とを当該通話相手の識別情報に対応付けて記憶する記憶工程と、
前記通話相手との通話に係る発信または着信があった場合に、前記記憶工程により記憶された当該通話相手の識別情報に対応する画面の識別情報のうち、表示回数が最も多い画面の識別情報を読み出す読出工程と、
前記読出工程により読み出された識別情報に対応する画面を表示する表示工程と、
を含んだことを特徴とする画面表示方法。
【請求項５】
通話機能を有する通話端末装置に所定の画面を表示する画面表示プログラムであって、
通話相手との過去の通話中に参照された画面の識別情報と当該画面の表示回数に係る情報とを当該通話相手の識別情報に対応付けて記憶する記憶手順と、
前記通話相手との通話に係る発信または着信があった場合に、前記記憶手順により記憶された当該通話相手の識別情報に対応する画面の識別情報のうち、表示回数が最も多い画面の識別情報を読み出す読出手順と、
前記読出手順により読み出された識別情報に対応する画面を表示する表示手順と、
をコンピュータに実行させることを特徴とする画面表示プログラム。
【発明の詳細な説明】
【技術分野】
【０００１】
本発明は、通話機能を有する通話端末装置、通話機能を有する通話端末装置に所定の画面を表示する画面表示方法および画面表示プログラムに関し、特に、通話中に頻繁に参照される画面を通話相手に応じて容易に表示させ、ユーザの操作ミスの危険性を低減させることができる通話端末装置、画面表示方法および画面表示プログラムに関する。
【背景技術】
【０００２】
従来、携帯電話機は、単に電話機として音声通話を可能にするだけでなく、通話相手の電話番号の情報を管理する電話帳の機能や、ユーザのスケジュールを管理するスケジュール帳の機能など、音声通話機能以外にもさまざまな機能を有しており、また新たな追加機能も続々と提案されている。
【０００３】
たとえば、発声通話をおこなうと周囲に迷惑となる場合に、発声する代わりにあらかじめ登録しておいた音声メッセージを用いて簡単な通話をおこなえるようにした携帯電話装置が開示されている（たとえば、特許文献１を参照）。
【０００４】
また、電子メールや電話の着信時に、ユーザが電子メールや電話の着信動作に関連するメニューをその都度呼び出さなくてはならない不便さを解決するため、ユーザが携帯電話機の筐体に触れた場合に、着信動作に関連するメニューを自動的に表示する携帯電話機が開示されている（たとえば、特許文献２を参照）。
【０００５】
また、多数の通話相手の情報を登録した登録情報から所定の通話相手の情報を探し出す場合の使い勝手の悪さを改善するため、所望の通話相手の情報をワンタッチで読み出すことができるキーを備えた電話機が開示されている（たとえば、特許文献３を参照）。
【０００６】
【特許文献１】特開２００５−４５６５８号公報
【特許文献２】特開２００４−２９７６４８号公報
【特許文献３】特開２００３−６０７７３号公報
【発明の開示】
【発明が解決しようとする課題】
【０００７】
しかしながら、上述した従来技術は、通話中に頻繁に参照する画面が通話相手によって異なるような場合に携帯電話機の使い勝手を向上させるものではなかった。たとえば、通話相手が物忘れの激しい人である場合には、携帯電話機の電話帳画面を表示させて会社の電話番号を検索して教えることなどが多くなる。また、通話相手が友人である場合には、次週会う日程を相談するために、スケジュール帳画面を表示させて次週のスケジュールを確認することなどが多くなる。
【０００８】
ところが、上述した従来技術は、通話中にユーザが電話帳画面やスケジュール帳画面などの画面を携帯電話機に表示されるメニューからその都度呼び出す必要があり、不便であるという問題があった。
【０００９】
また、通話中にメニューから各画面を呼び出す場合には、耳元に掲げている携帯電話機を一度耳元から離して操作する必要があるのでユーザが焦りを感じ、また、通話中に画面を選択するメニューは非通話時のメニューと異なることもあるのでユーザが操作ミスを起こす危険性があった。さらに、メニューにおいてユーザが間違った選択をしてしまい、所定の釦を押下して選択状態から復帰する場合に、呼を切断する釦を誤って押下してしまう
危険性があった。
【００１０】
そのため、通話中に頻繁に参照される画面を通話相手に応じていかに容易に表示させ、ユーザの操作ミスの危険性を低減させることができるかが重要な課題として挙げられている。
【００１１】
本発明は、上述した従来技術による問題点を解消するためになされたものであり、通話中に頻繁に参照される画面を通話相手に応じて容易に表示させ、ユーザの操作ミスの危険性を低減させることができる通話端末装置、画面表示方法および画面表示プログラムを提供することを目的とする。
【課題を解決するための手段】
【００１２】
上述した課題を解決し、目的を達成するため、本発明は、通話機能を有する通話端末装置であって、通話相手との過去の通話中に参照された画面の識別情報を当該通話相手の識別情報に対応付けて記憶する記憶手段と、前記通話相手との通話に係る発信または着信があった場合に、前記記憶手段により記憶された当該通話相手の識別情報に対応する画面の識別情報を読み出す読出手段と、前記読出手段により読み出された識別情報に対応する画面を表示する表示手段と、を備えたことを特徴とする。
【００１３】
また、本発明は、上記発明において、他の装置から受信した通話制御信号に基づいて通話相手の識別情報を検出する検出手段をさらに備え、前記記憶手段は、前記検出手段により検出された通話相手の識別情報に対応付けて所定の画面の識別情報を記憶することを特徴とする。
【００１４】
また、本発明は、上記発明において、所定の画面の識別情報および通話相手の識別情報を他の装置から受信する受信手段をさらに備え、前記記憶手段は、前記受信手段により受信された所定の画面の識別情報を通話相手の識別情報に対応付けて記憶することを特徴とする。
【００１５】
また、本発明は、上記発明において、前記記憶手段は、前記通話相手との過去の通話中に参照された画面の識別情報と当該画面の表示回数に係る情報とを前記通話相手の識別情報に対応付けて記憶し、前記読出手段は、前記通話相手の識別情報に対応する画面の識別情報のうち、表示回数が最も多い画面の識別情報を読み出すことを特徴とする。
【００１６】
また、本発明は、通話機能を有する通話端末装置に所定の画面を表示する画面表示方法であって、通話相手との過去の通話中に参照された画面の識別情報を当該通話相手の識別情報に対応付けて記憶する記憶工程と、前記通話相手との通話に係る発信または着信があった場合に、前記記憶工程により記憶された当該通話相手の識別情報に対応する画面の識別情報を読み出す読出工程と、前記読出工程により読み出された識別情報に対応する画面を表示する表示工程と、を含んだことを特徴とする。
【００１７】
また、本発明は、通話機能を有する通話端末装置に所定の画面を表示する画面表示プログラムであって、通話相手との過去の通話中に参照された画面の識別情報を当該通話相手の識別情報に対応付けて記憶する記憶手順と、前記通話相手との通話に係る発信または着信があった場合に、前記記憶手順により記憶された当該通話相手の識別情報に対応する画面の識別情報を読み出す読出手順と、前記読出手順により読み出された識別情報に対応する画面を表示する表示手順と、をコンピュータに実行させることを特徴とする。
【発明の効果】
【００１８】
本発明によれば、通話相手との過去の通話中に参照された画面の識別情報を当該通話相手の識別情報に対応付けて記憶し、通話相手との通話に係る発信または着信があった場合に、記憶した当該通話相手の識別情報に対応する画面の識別情報を読み出し、読み出した識別情報に対応する画面を表示することとしたので、通話中に頻繁に参照される画面を通話相手に応じて容易に表示させ、ユーザの操作ミスの危険性を低減させることができるという効果を奏する。
【００１９】
また、本発明によれば、他の装置から受信した通話制御信号に基づいて通話相手の識別情報を検出し、検出した通話相手の識別情報に対応付けて所定の画面の識別情報を記憶することとしたので、通話相手の識別情報をユーザが調べる必要が無く、容易に画面の識別情報を記憶することができるという効果を奏する。
【００２０】
また、本発明によれば、所定の画面の識別情報および通話相手の識別情報を他の装置から受信し、受信した所定の画面の識別情報を通話相手の識別情報に対応付けて記憶することとしたので、発信者であるユーザにより指定された画面を当該ユーザとの通話時に表示することができるという効果を奏する。
【００２１】
また、本発明によれば、通話相手との過去の通話中に参照された画面の識別情報と当該画面の表示回数に係る情報とを通話相手の識別情報に対応付けて記憶し、通話相手の識別情報に対応する画面の識別情報のうち、表示回数が最も多い画面の識別情報を読み出すこととしたので、通話中に頻繁に参照される画面を容易に検出し、その画面を表示させることができるという効果を奏する。
【発明を実施するための最良の形態】
【００２２】
以下に添付図面を参照して、本発明に係る通話端末装置、画面表示方法および画面表示プログラムの好適な実施例を詳細に説明する。なお、ここでは、通話端末装置として携帯電話機を例に挙げて説明をおこなうが、通話端末装置はこれに限定されず、通話機能を有するＰＤＡ（Personal Digital Assistant）などの装置であってもよい。
【実施例】
【００２３】
まず、本発明に係る画面表示処理について説明する。図１は、本発明に係る画面表示処理について説明する図である。図１に示すように、携帯電話機が待ち受け画面（画面１）を表示して着信を待ち受けている場合に、ある通話相手からの着信があり、携帯電話機のユーザがその着信に応答すると、その通話相手の電話番号と対応付けてあらかじめ登録されていた画面（画面２）が表示される。
【００２４】
図１の例では、通話相手に銀行などの口座番号を教えることが多いため、この通話相手の電話番号に口座番号を表示する表示画面（画面２）があらかじめ対応付けられていた場合が示されている。また、別の通話相手と通話する場合には、その通話相手の電話番号にあらかじめ対応付けがなされた画面が表示される。
【００２５】
このように、通話相手の電話番号に対応付けて所定の画面をあらかじめ登録しておき、通話時に通話相手の電話番号に対応する画面を表示するようにしたので、通話中に頻繁に参照される画面を通話相手に応じて容易に表示させ、ユーザの操作ミスの危険性を低減させることができる。
【００２６】
つぎに、本実施例に係る携帯電話機の機能構成について説明する。図２は、本実施例に係る携帯電話機の機能構成を示す図である。図２に示すように、この携帯電話機は、アンテナ１０、無線通信回路１１、マイク１２、スピーカ１３、ディスプレイ１４、キーパッド１５、通話中表示画面登録釦１６、一時記憶部１７、記憶部１８、制御部１９を有する。
【００２７】
アンテナ１０は、無線電波の送受信をおこなうアンテナである。無線通信回路１１は、
携帯電話機の基地局装置を介して他の携帯電話機に接続し、音声通話処理やデータ通信処理をおこなう通信部である。
【００２８】
マイク１２は、音声情報を取得して、それを電気信号に変換するマイクである。スピーカー１３は、通話音声や再生音などを出力するスピーカーである。ディスプレイ１４は、文字や画像を表示するディスプレイである。キーパッド１５は、ユーザから情報の入力操作を受け付ける入力デバイスである。
【００２９】
通話中表示画面登録釦１６は、通話相手からの着信を受け付けたり、通話相手に発信したりして通話が開始された際にディスプレイ１４に表示する通話中表示画面の登録要求をユーザから受け付ける釦である。
【００３０】
図３は、図２に示した通話中表示画面登録釦１６について説明する図である。図３に示すように、この通話中表示画面登録釦１６は、通話時においてもユーザが容易に押下できるように、携帯電話機の側面に設置されている。また、携帯電話機のキーパッド１５の所定のキーに通話中表示画面登録釦１６と同様の機能を持たせて用いることとしてもよい。
【００３１】
図２の説明に戻ると、一時記憶部１７は、通話中表示画面データ１７ａなどの各種情報を一時的に記憶する記憶部である。通話中表示画面データ１７ａとは、ユーザが携帯電話機を操作して表示させた画面に係るデータであり、表示された画面を特定する識別情報とその画面を表示させるためにユーザによりなされたキー操作の情報とを含んでいる。
【００３２】
記憶部１８は、各種情報を記憶する記憶部であり、ユーザデータ１８ａおよび通話中表示画面登録テーブル１８ｂを記憶している。ユーザデータ１８ａは、携帯電話機のアドレス帳に登録されたユーザの電話番号や電子メールアドレスなどの情報や、スケジュール帳に登録されたスケジュール情報などを記憶したデータである。
【００３３】
通話中表示画面登録テーブル１８ｂは、通話時に通話相手に応じて表示する画面の情報を記憶したテーブルである。図４は、図２に示した通話中表示画面登録テーブル１８ｂの一例を示す図である。図４に示すように、この通話中表示画面登録テーブル１８ｂは、電話番号、通話中表示画面、メニューイベントの情報を登録している。
【００３４】
電話番号は、各通話相手の電話番号の情報である。通話中表示画面は、通話相手との通話時に表示される画面を特定する識別情報である。メニューイベントは、通話中表示画面を表示させるために必要なキー操作の情報である。
【００３５】
図２の説明に戻ると、制御部１９は、携帯電話機を全体制御する制御部であり、各機能部間のデータの授受を司る。この制御部１９は、通話・通信処理部１９ａ、アプリケーション実行部１９ｂ、通話中表示画面登録部１９ｃ、通話中表示画面読出部１９ｄ、通話中表示画面表示部１９ｅを有する。
【００３６】
通話・通信処理部１９ａは、音声通話やデータ通信などの実行処理をおこなう処理部である。アプリケーション実行部１９ｂは、アドレス帳やスケジュール帳などの各アプリケーションを実行する処理部である。具体的には、アプリケーション実行部１９ｂは、各アプリケーションの起動やユーザデータ１８ａの登録・更新・削除などのデータ処理を実行する。
【００３７】
通話中表示画面登録部１９ｃは、通話時あるいは非通話時、ある画面が表示されている場合に、ユーザにより通話中表示画面登録釦１６が押下され、当該画面を通話相手に対応付けて登録するよう要求された場合に、一時記憶部１７から通話中表示画面データ１７ａ
を読み出し、通話中表示画面登録テーブル１８ｂに通話相手の電話番号に対応付けて画面の情報（図４に示した通話中表示画面およびメニューイベント）を登録する登録部である。
【００３８】
図５は、通話時の通話中表示画面登録処理について説明する図である。図５に示すように、通話・通信処理部１９ａが待ち受け画面（画面１）を表示して着信を待ち受けている場合に、ある通話相手からの着信があり、携帯電話機のユーザがその着信に応答すると、通話・通信処理部１９ａは、その通話相手の電話番号の情報を基地局装置から受信した通話制御信号から検出し、検出した電話番号や通話の経過時間などの情報を表示した表示画面（画面２）を表示する。
【００３９】
その後、ユーザがキーパッド１５を用いてメニュー操作要求をおこなった場合には、アプリケーション実行部１９ｂは、実行される各種処理の一覧を示すメニュー画面（画面３）を表示する。そして、アプリケーション実行部１９ｂは、ユーザから項目の選択を受け付けて、選択された項目に対応する画面（画面４）を表示する処理をおこなう。
【００４０】
さらに、アプリケーション実行部１９ｂは、選択された項目に対応する画面がさらに項目の選択を受け付けるメニュー画面（画面４）である場合に、項目の選択をユーザから受け付け、その項目に対応する機能を起動して起動画面（画面５）を表示する。
【００４１】
そして、アプリケーション実行部１９ｂは、起動画面（画面５）が各種情報の表示選択画面である場合に、表示させる情報の選択をユーザから受け付け、選択された情報を含んだ表示画面（画面６）を表示する。
【００４２】
なお、表示された各画面（画面２〜画面６）の情報は、画面が表示されるたびに、通話中表示画面登録部１９ｃにより一時記憶部１７に通話中表示画面データ１７ａとして記憶される。
【００４３】
ここで、ユーザにより通話中表示画面登録釦１６が押下されたものとすると、通話中表示画面登録部１９ｃは、通話中表示画面データ１７ａから表示中の画面の種類とその画面に到達するまでになされたキー操作の情報とを読み出して、それらの情報を通話相手の電話番号に対応付けて通話中表示画面登録テーブル１８ｂに登録し、登録が完了したことを示す登録完了画面（画面７）を所定の時間表示する。ここで、電話番号の情報は、画面２を表示する際に、通話・通信処理部１９ａが取得した情報である。
【００４４】
そして、所定の時間が経過したら、通話・通信処理部１９ａは、画面２と同様の、通話相手の電話番号や通話の経過時間などの情報を表示した表示画面（画面８）を表示し、通話時の通話中表示画面登録処理を終了する。
【００４５】
なお、ここでは、通話相手からの着信時に画面の登録処理をおこなうこととしているが、通話相手に対する発信時において、通話中表示画面登録部１９ｃが、所定の画面を通話中表示画面登録テーブル１８ｂに登録する登録要求をユーザから受け付け、通話中表示画面登録処理を実行することとしてもよい。
【００４６】
また、非通話時の通話中表示画面登録処理は以下のようにしてなされる。図６は、非通話時の通話中表示画面登録処理について説明する図である。ここで、非通話時とは、携帯電話が通話あるいは電子メールの着信待ち受け状態にある場合や、アドレス帳などに電話番号などの情報を登録する場合など、携帯電話が非通話状態にある場合を指している。
【００４７】
後者の場合には、通話中表示画面登録部１９ｃが、アドレス帳に電話番号を登録するた
めにユーザから受け付けた電話番号の情報を取得し、一方でその電話番号に対応する通話相手と通話する際に表示する画面の指定を受け付けて、その電話番号と画面の情報とを通話中表示画面登録テーブル１８ｂに登録すればよい。なお、以下では、携帯電話機が着信待ち受け状態にある場合を例にとって説明をおこなう。
【００４８】
図６に示すように、通話・通信処理部１９ａが待ち受け画面（画面１）を表示して着信を待ち受けている場合に、ユーザがキーパッド１５を用いてメニュー操作要求をおこなった場合には、アプリケーション実行部１９ｂは、実行される各種処理の一覧を示すメニュー画面（画面２）を表示する。そして、アプリケーション実行部１９ｂは、ユーザから項目の選択を受け付けて、選択された項目に対応する画面（画面３）を表示する処理をおこなう。
【００４９】
さらに、アプリケーション実行部１９ｂは、選択された項目に対応する画面（画面３）がさらに項目の選択を受け付けるメニュー画面である場合に、項目の選択をユーザから受け付け、その項目に対応する機能を起動して起動画面（画面４）を表示する。
【００５０】
そして、アプリケーション実行部１９ｂは、起動画面（画面４）が各種情報の表示選択画面である場合に、表示させる情報の選択をユーザから受け付け、選択された情報を含んだ表示画面（画面５）を表示する。
【００５１】
なお、表示された各画面（画面２〜画面５）の情報は、画面が表示されるたびに、通話中表示画面登録部１９ｃにより一時記憶部１７に通話中表示画面データ１７ａとして記憶される。
【００５２】
ここで、ユーザにより通話中表示画面登録釦１６が押下されたものとすると、通話中表示画面登録部１９ｃは、電話番号の入力方法の指定をユーザに促す画面（画面６）を表示する。
【００５３】
そして、ユーザにより入力方法の指定がなされ、さらに電話番号の登録がなされると、通話中表示画面登録部１９ｃは、通話中表示画面データ１７ａから表示中の画面の種類とその画面に到達するまでになされたキー操作の情報とを読み出して、それらの情報を通話相手の電話番号に対応付けて通話中表示画面登録テーブル１８ｂに登録し、登録が完了したことを示す登録完了画面（画面７）を所定の時間表示する。
【００５４】
所定の時間が経過したら、通話・通信処理部１９ａは、画面１と同様の待ち受け画面（画面８）を表示し、非通話時の通話中表示画面登録処理を終了する。
【００５５】
図２の説明に戻ると、通話中表示画面読出部１９ｄは、ある通話相手からの着信があり、携帯電話機のユーザがその着信に応答して通話を開始した場合、あるいは、ある通話相手に発信して通話相手の電話機からの応答があった場合に、通話相手の電話番号に対応し、かつ、ディスプレイ１４に表示する画面の情報を通話中表示画面登録テーブル１８ｂから読み出す読出部である。
【００５６】
通話中表示画面表示部１９ｅは、通話中表示画面読出部１９ｄにより読み出された画面の情報に基づいて、通話相手の電話番号に対応する画面をディスプレイ１４に表示する表示部である。
【００５７】
たとえば、図５あるいは図６の例のように、ある通話相手の電話番号に対応付けて口座番号を表示する画面（図５における画面６、あるいは、図６における画面５）が登録され、その通話相手の電話機から着信した場合には、通話中表示画面表示部１９ｅは、図１に
示したような、口座番号の表示画面（図１における画面２）をディスプレイ１４に表示する。
【００５８】
また、通話中表示画面表示部１９ｅは、上記通話相手に発信し、通話相手の電話機からの応答があった場合にも、図１に示したような、通話相手に対応する口座番号の表示画面（図１における画面２）をディスプレイ１４に表示する。
【００５９】
また、ここでは、口座番号を表示する画面（図５における画面６、あるいは、図６における画面５）を通話相手の電話番号に対応付けて登録した場合について説明したが、登録される画面はこれに限らず、ユーザにより指定された任意の画面が登録される。
【００６０】
たとえば、図５の画面５に示したような、項目の選択をユーザに促す画面が通話相手の電話番号に対応付けて登録され、その通話相手との間で通話が開始された場合には、以下に示すように、その画面を表示する処理をおこなう。
【００６１】
図７は、上述した画面表示処理の別の例について説明する図である。図７に示すように、携帯電話機が待ち受け画面（画面１）を表示して着信を待ち受けている場合に、ある通話相手からの着信があり、ユーザがその着信に応答すると、通話中表示画面表示部１９ｅは、その通話相手の電話番号にあらかじめ対応付けがなされていたメニュー画面（画面２）を表示する。
【００６２】
その後、アプリケーション実行部１９ｂは、メニュー画面（画面２）を見たユーザがキーパッド１５を押下することによりおこなった項目の選択を受け付け、選択された項目に対応する画面（画面３）を表示する処理をおこなう。
【００６３】
つぎに、本実施例に係る通話中表示画面登録処理の処理手順について説明する。図８は、本実施例に係る通話中表示画面登録処理の処理手順を示すフローチャートである。図８に示すように、まず、携帯電話機のアプリケーション実行部１９ｂは、ユーザによりなされた画面操作を受け付ける（ステップＳ１０１）。
【００６４】
そして、通話中表示画面登録部１９ｃは、通話中表示画面登録釦１６が押下されたか否かを調べる（ステップＳ１０２）。通話中表示画面登録釦１６が押下されていない場合には（ステップＳ１０２，Ｎｏ）、通話中表示画面登録部１９ｃは、ユーザが携帯電話機を操作して表示させた画面に係るデータを通話中表示画面データ１７ａとして一時記憶部１７に記憶する（ステップＳ１０３）。
【００６５】
ここで、通話中表示画面データ１７ａとして記憶される画面に係るデータは、表示された画面を特定する識別情報とその画面を表示させるためにユーザによりなされたキー操作の情報とを含むデータである。
【００６６】
ステップＳ１０２において、通話中表示画面登録釦１６が押下された場合には（ステップＳ１０２，Ｙｅｓ）、通話中表示画面登録部１９ｃは、現在通話中であるか否かを調べる（ステップＳ１０４）。ここで、通話中とは、通話相手からの着信があり、ユーザがその着信に応答した状態、あるいは、通話相手宛てに発信し、通話相手がそれに応答した状態を指している。
【００６７】
そして、現在通話中である場合には（ステップＳ１０４，Ｙｅｓ）、通話中表示画面登録部１９ｃは、通話している通話相手の電話番号の情報を取得し（ステップＳ１０５）、その電話番号と、一時記憶部１７に通話中表示画面データ１７ａとして記憶していた表示画面の名称と、その画面を表示させるためにユーザから受け付けた操作の情報とを対応付
けて通話中表示画面登録テーブル１８ｂに登録し（ステップＳ１０７）、この通話中表示画面登録処理を終了する。
【００６８】
ここで、通話相手の電話番号は、通話相手から着信した場合には、基地局装置から受信した通話制御信号に含まれる電話番号の情報を検出することにより取得される。また、通話相手に発信した場合には、発信に用いた電話番号がそのまま用いられる。
【００６９】
ステップＳ１０４において、現在通話中でない場合（ステップＳ１０４，Ｎｏ）、すなわち、ユーザにより非通話時に通話中表示画面登録釦１６が押下された場合には、通話中表示画面登録部１９ｃは、通話中の画面の表示対象となる通話相手の電話番号情報の入力をユーザから受け付ける（ステップＳ１０６）。
【００７０】
この電話番号の入力は、図６の画面６に示したように、直接番号の入力を受け付けるだけでなく、携帯電話のアドレス帳にあらかじめ登録されている電話番号が選択されることによりなされてもよい。
【００７１】
その後、通話中表示画面登録部１９ｃは、電話番号、一時記憶部１７に通話中表示画面データ１７ａとして記憶していた画面の識別情報、および、その画面を表示させるためにユーザによりなされたキー操作の情報を対応付けて通話中表示画面登録テーブル１８ｂに登録し（ステップＳ１０７）、この通話中表示画面登録処理を終了する。
【００７２】
つぎに、本実施例に係る通話中表示画面表示処理の処理手順について説明する。図９は、本実施例に係る通話中表示画面表示処理の処理手順を示すフローチャートである。図９に示すように、まず、携帯電話機の通話・通信処理部１９ａは、通話相手からの着信を待ち受ける（ステップＳ２０１）。
【００７３】
そして、通話・通信処理部１９ａは、通話相手からの着信を受けて、ユーザがそれに応答したか否かを調べる（ステップＳ２０２）。ユーザが応答しなかった場合には（ステップＳ２０２，Ｎｏ）、そのままこの通話中表示画面表示処理を終了する。
【００７４】
ユーザが応答した場合には（ステップＳ２０２，Ｙｅｓ）、通話中表示画面読出部１９ｄは、記憶部１８から通話中表示画面登録テーブル１８ｂを読み出して、着信を受けた通話相手の電話番号が通話中表示画面登録テーブル１８ｂに登録されているか否かを調べる（ステップＳ２０３）。ここで、通話相手の電話番号は、基地局装置から送信された通話制御信号から検出する。
【００７５】
通話相手の電話番号の情報が通話中表示画面登録テーブル１８ｂに登録されていなかった場合には（ステップＳ２０３，Ｎｏ）、そのままこの通話中表示画面表示処理を終了する。
【００７６】
通話相手の電話番号が通話中表示画面登録テーブル１８ｂに登録されていた場合には（ステップＳ２０３，Ｙｅｓ）、通話中表示画面表示部１９ｅは、通話相手の電話番号に対応付けて通話中表示画面登録テーブル１８ｂに情報が登録されていた画面の表示を実行する（ステップＳ２０４）。
【００７７】
その後、アプリケーション実行部１９ｂは、通話中表示画面表示部１９ｅにより表示された画面が項目の選択を受け付けるメニュー画面か否かを調べる（ステップＳ２０５）。そして、画面がメニュー画面でない場合には（ステップＳ２０５，Ｎｏ）、この通話中表示画面表示処理を終了する。
【００７８】
画面がメニュー画面である場合には（ステップＳ２０５，Ｙｅｓ）、アプリケーション実行部１９ｂは、ユーザによるメニュー操作を受け付けたか否かを調べ（ステップＳ２０６）、メニュー操作を受け付けた場合には（ステップＳ２０６，Ｙｅｓ）、そのメニュー操作に応じた画面を表示する（ステップＳ２０７）。メニュー操作を受け付けなかった場合には（ステップＳ２０６，Ｎｏ）、そのままこの通話中表示画面表示処理を終了する。
【００７９】
なお、ここでは、通話相手からの着信時の処理について説明したが、通話相手に発信した場合にも同様の処理をおこなう。この場合には、ステップＳ２０２において、通話・通信処理部１９ａは、通話相手の電話番号を入力して通話相手に発信し、通話相手から応答があったか否かを調べる。そして、通話相手から応答が無かった場合には通話中表示画面表示処理を終了し、応答があった場合には、ステップＳ２０３以降の処理を実行するようにする。
【００８０】
また、上記実施例では、ユーザにより通話中表示画面登録釦１６が押下された時点で表示されていた画面を通話相手との通話時に表示することとしたが、ユーザが通話中に頻繁に表示させる画面がどの画面であるかを携帯電話機が判定し、その画面を通話時に表示するようにしてもよい。
【００８１】
そこで以下では、このような変形例について説明することとする。この変形例では、ユーザが通話中に表示させた各画面の回数の情報を通話相手の電話番号の情報に対応付けて記憶しておき、通話相手との間の通話時に画面の表示回数が最も多かった画面を表示させるようにする。
【００８２】
図１０は、本実施例の変形例に係る通話中表示画面登録テーブル１８ｂ’の一例を示す図である。図１０に示すように、この通話中表示画面登録テーブル１８ｂ’は、電話番号、通話中表示画面、メニューイベント、表示回数の情報を登録している。
【００８３】
電話番号、通話中表示画面、メニューイベントは、図４に示した電話番号、通話中表示画面、メニューイベントと同様の情報である。表示回数は、各電話番号に対応する通話相手との間の通話中に通話中表示画面やメニューイベントにより特定される画面が表示された回数の情報である。
【００８４】
この変形例においては、図２に示した通話中表示画面登録部１９ｃは、通話中にユーザがメニュー操作をおこなって画面を表示させた場合に、その画面の情報（図１０に示した通話中表示画面およびメニューイベント）を通話相手の電話番号に対応付けて通話中表示画面登録テーブル１８ｂ’に登録する。
【００８５】
また、通話中表示画面登録部１９ｃは、その画面の表示回数の情報を通話中表示画面登録テーブル１８ｂ’に登録する。たとえば、当該画面が初めて表示された場合には「１」が、過去に表示されたことがある場合には、すでに登録されている表示回数を「１」増やして表示回数の情報を更新する。
【００８６】
続いて、通話相手との通話時には、通話中表示画面読出部１９ｄは、通話中表示画面登録テーブル１８ｂ’に登録されている画面の情報のうち、通話相手の電話番号に対応し、かつ、表示回数が最も多い画面の情報を読み出す。そして、通話中表示画面表示部１９ｅは、通話中表示画面読出部１９ｄにより読み出された情報に対応する画面をディスプレイ１４に表示させる。
【００８７】
また、上記実施例では、一時記憶部１７が通話中表示画面データ１７ａを記憶し、記憶部１８が通話中表示画面登録テーブル１８ｂ，１８ｂ’を記憶することとしたが、これら
のデータをネットワーク上のサーバ装置に記憶することとし、携帯電話機がそのサーバ装置との間でデータの送受信をおこなうことにより、通話中表示画面データ１７ａや通話中表示画面登録テーブル１８ｂ，１８ｂ’の読み出し・更新をおこなうこととしてもよい。
【００８８】
また、上記実施例では、携帯電話機が自装置における通話時の画面表示用に通話中表示画面登録テーブル１８ｂ，１８ｂ’を記憶しておくこととしたが、通話中表示画面登録テーブル１８ｂ，１８ｂ’に登録された情報を他の携帯電話機に送信して記憶させ、通話中表示画面登録テーブル１８ｂ，１８ｂ’を他の携帯電話機との間で共有することとしてもよい。
【００８９】
通話中表示画面登録テーブル１８ｂ，１８ｂ’を受信した携帯電話機は、その通話中表示画面登録テーブル１８ｂ，１８ｂ’を参照することにより、図９で説明したようにして、上記実施例で説明した通話時の画面表示処理を実行することができる。これは、通話の発信者であるユーザが着信者であるユーザの携帯電話機に通話時に発信者が指定した特定の画面などを表示させたい場合などに有効である。
【００９０】
ところで、上記実施例で説明した各種の処理は、あらかじめ用意されたプログラムをコンピュータで実行することによって実現することができる。そこで、以下に、上記各種処理を実現するプログラムを実行するコンピュータの一例について説明する。図１１は、図２に示した携帯電話機となるコンピュータのハードウェア構成を示す図である。
【００９１】
このコンピュータは、アンテナ１０、無線通信回路１１、マイク１２、スピーカ１３、ディスプレイ１４、キーパッド１５、通話中表示画面登録釦１６、フラッシュメモリ２０、ＲＡＭ（Random Access Memory）２１、ＲＯＭ（Read Only Memory）２２、ＣＰＵ（Central Processing Unit）２３をバス２４で接続することにより構成される。
【００９２】
ここで、アンテナ１０、無線通信回路１１、マイク１２、スピーカ１３、ディスプレイ１４、キーパッド１５、通話中表示画面登録釦１６、フラッシュメモリ２０、ＲＡＭ２１は、図２に示したアンテナ１０、無線通信回路１１、マイク１２、スピーカ１３、ディスプレイ１４、キーパッド１５、通話中表示画面登録釦１６、記憶部１８、一時記憶部１７にそれぞれ対応する。
【００９３】
そして、ＲＯＭ２２には、携帯電話機と同等の機能を発揮するプログラム、すなわち、通話・通信処理プログラム２２ａ、アプリケーション実行プログラム２２ｂ、通話中表示画面登録プログラム２２ｃ、通話中表示画面読出プログラム２２ｄ、通話中表示画面表示プログラム２２ｅが記憶されている。なお、これらのプログラムは、適宜統合または分散して記憶することとしてもよい。
【００９４】
そして、ＣＰＵ２３が、これらのプログラムをＲＯＭ２２から読み出して実行することにより、通話・通信処理プロセス２３ａ、アプリケーション実行プロセス２３ｂ、通話中表示画面登録プロセス２３ｃ、通話中表示画面読出プロセス２３ｄ、通話中表示画面表示プロセス２３ｅが機能するようになる。
【００９５】
この通話・通信処理プロセス２３ａ、アプリケーション実行プロセス２３ｂ、通話中表示画面登録プロセス２３ｃ、通話中表示画面読出プロセス２３ｄ、通話中表示画面表示プロセス２３ｅは、図２に示した通話・通信処理部１９ａ、アプリケーション実行部１９ｂ、通話中表示画面登録部１９ｃ、通話中表示画面読出部１９ｄ、通話中表示画面表示部１９ｅにそれぞれ対応する。
【００９６】
また、フラッシュメモリ２０には、ユーザデータ２０ａ、通話中表示画面登録テーブル
２０ｂ，２０ｂ’が記憶される。このユーザデータ２０ａおよび通話中表示画面登録テーブル２０ｂ，２０ｂ’は、図２に示した記憶部１８に記憶されるユーザデータ１８ａ、および、図４、図１０に示した通話中表示画面登録テーブル１８ｂ，１８ｂ’にそれぞれ対応する。
【００９７】
ＣＰＵ２３は、これらのデータをフラッシュメモリ２０に記憶するとともに、これらのデータをフラッシュメモリ２０から読み出してＲＡＭ２１に記憶させ、また、通話中表示画面データ２１ｃをＲＡＭ２１に記憶させる処理をおこなう。ここで、通話中表示画面データ２１ｃは、図２に示した通話中表示画面データ１７ａに対応する。
【００９８】
そして、ＣＰＵ２３は、ＲＡＭ２１に記憶されたユーザデータ２１ａ、通話中表示画面登録テーブル２１ｂ，２１ｂ’、通話中表示画面データ２１ｃに基づいて各種データ処理を実行する。
【００９９】
ところで、通話・通信処理プログラム２２ａ、アプリケーション実行プログラム２２ｂ、通話中表示画面登録プログラム２２ｃ、通話中表示画面読出プログラム２２ｄ、通話中表示画面表示プログラム２２ｅは、必ずしもＲＯＭ２２に記憶させておく必要はない。
【０１００】
たとえば、フレキシブルディスク（ＦＤ）、ＣＤ−ＲＯＭ、ＤＶＤディスク、光磁気ディスク、ＩＣカード、ハードディスクドライブ（ＨＤＤ）、さらには、公衆回線、インターネット、ＬＡＮ、ＷＡＮなどを介してコンピュータに接続される「他のコンピュータ（またはサーバ）」などに各プログラムを記憶しておき、コンピュータがこれらから各プログラムを読み出して実行するようにしてもよい。
【０１０１】
上述してきたように、本実施例では、携帯電話機の通話中表示画面登録部１９ｃが、所定の画面の情報を通話相手の電話番号に対応付けて記憶部１８に通話中表示画面登録テーブル１８ｂとして記憶し、通話中表示画面読出部１９ｄが、通話相手との通話に係る発信または着信があった場合に、記憶部１８に記憶された当該通話相手の電話番号に対応する画面の情報を読み出し、通話中表示画面表示部１９ｅが、読み出した情報に対応する画面を表示することとしたので、通話中に頻繁に参照される画面を通話相手に応じて容易に表示させ、ユーザの操作ミスの危険性を低減させることができる。
【０１０２】
また、本実施例では、通話中表示画面登録部１９ｃが、基地局装置から受信した通話制御信号から通話相手の電話番号を検出し、検出した通話相手の電話番号に対応付けて所定の画面の情報を記憶部１８に通話中表示画面登録テーブル１８ｂとして記憶することとしたので、通話相手の電話番号をユーザが調べる必要が無く、容易に画面の情報を記憶することができる。
【０１０３】
また、本実施例では、通話・通信処理部１９ａが、所定の画面の識別情報および通話相手の電話番号の情報を他の携帯電話機から受信し、受信した所定の画面の識別情報を通話相手の電話番号に対応付けて記憶することとしたので、発信者であるユーザにより指定された画面を当該ユーザとの通話時に表示することができる。
【０１０４】
また、本実施例では、通話中表示画面登録部１９ｃが、所定の画面の情報と当該画面の表示回数に係る情報とを通話相手の電話番号に対応付けて記憶し、通話相手の電話番号に対応する画面の情報のうち、表示回数が最も多い画面の情報を読み出すこととしたので、通話中に頻繁に参照される画面を容易に検出し、その画面を表示させることができる。
【０１０５】
さて、これまで本発明の実施例について説明したが、本発明は上述した実施例以外にも、特許請求の範囲に記載した技術的思想の範囲内において種々の異なる実施例にて実施さ
れてもよいものである。
【０１０６】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０７】
また、図示した装置の各構成要素は機能概念的なものであり、必ずしも物理的に図示のように構成されていることを要しない。すなわち、図示した装置の分散・統合の具体的形態は図示のものに限られず、その全部または一部を、各種の負荷や使用状況などに応じて、任意の単位で機能的または物理的に分散・統合して構成することができる。
【０１０８】
さらに、図示した装置にておこなわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１０９】
（付記１）通話機能を有する通話端末装置であって、
所定の画面の識別情報を通話相手の識別情報に対応付けて記憶する記憶手段と、
前記通話相手との通話に係る発信または着信があった場合に、前記記憶手段により記憶された当該通話相手の識別情報に対応する画面の識別情報を読み出す読出手段と、
前記読出手段により読み出された識別情報に対応する画面を表示する表示手段と、
を備えたことを特徴とする通話端末装置。
【０１１０】
（付記２）他の装置から受信した通話制御信号に基づいて通話相手の識別情報を検出する検出手段をさらに備え、前記記憶手段は、前記検出手段により検出された通話相手の識別情報に対応付けて所定の画面の識別情報を記憶することを特徴とする付記１に記載の通話端末装置。
【０１１１】
（付記３）所定の画面の識別情報および通話相手の識別情報を他の装置から受信する受信手段をさらに備え、前記記憶手段は、前記受信手段により受信された所定の画面の識別情報を通話相手の識別情報に対応付けて記憶することを特徴とする付記１または２に記載の通話端末装置。
【０１１２】
（付記４）前記記憶手段は、前記所定の画面の識別情報と当該画面の表示回数に係る情報とを前記通話相手の識別情報に対応付けて記憶し、前記読出手段は、前記通話相手の識別情報に対応する画面の識別情報のうち、表示回数が最も多い画面の識別情報を読み出すことを特徴とする付記１、２または３に記載の通話端末装置。
【０１１３】
（付記５）通話機能を有する通話端末装置に所定の画面を表示する画面表示方法であって、
所定の画面の識別情報を通話相手の識別情報に対応付けて記憶する記憶工程と、
前記通話相手との通話に係る発信または着信があった場合に、前記記憶工程により記憶された当該通話相手の識別情報に対応する画面の識別情報を読み出す読出工程と、
前記読出工程により読み出された識別情報に対応する画面を表示する表示工程と、
を含んだことを特徴とする画面表示方法。
【０１１４】
（付記６）通話機能を有する通話端末装置に所定の画面を表示する画面表示プログラムであって、
所定の画面の識別情報を通話相手の識別情報に対応付けて記憶する記憶手順と、
前記通話相手との通話に係る発信または着信があった場合に、前記記憶手順により記憶された当該通話相手の識別情報に対応する画面の識別情報を読み出す読出手順と、
前記読出手順により読み出された識別情報に対応する画面を表示する表示手順と、
をコンピュータに実行させることを特徴とする画面表示プログラム。
【産業上の利用可能性】
【０１１５】
以上のように、本発明に係る通話端末装置、画面表示方法および画面表示プログラムは、通話時に、通話相手に応じて頻繁に参照される画面を容易に表示させ、ユーザの操作ミスの危険性を低減させることが必要な携帯端末や画面表示システムに有用である。
【図面の簡単な説明】
【０１１６】
【図１】本発明に係る画面表示処理について説明する図である。
【図２】本実施例に係る携帯電話機の機能構成を示す図である。
【図３】図２に示した通話中表示画面登録釦１６について説明する図である。
【図４】図２に示した通話中表示画面登録テーブル１８ｂの一例を示す図である。
【図５】通話時の通話中表示画面登録処理について説明する図である。
【図６】非通話時の通話中表示画面登録処理について説明する図である。
【図７】画面表示処理の別の例について説明する図である。
【図８】本実施例に係る通話中表示画面登録処理の処理手順を示すフローチャートである。
【図９】本実施例に係る通話中表示画面表示処理の処理手順を示すフローチャートである。
【図１０】本実施例の変形例に係る通話中表示画面登録テーブル１８ｂ’の一例を示す図である。
【図１１】図２に示した携帯電話機となるコンピュータのハードウェア構成を示す図である。
【符号の説明】
【０１１７】
１０    アンテナ
１１    無線通信回路
１２    マイク
１３    スピーカ
１４    ディスプレイ
１５    キーパッド
１６    通話中表示画面登録釦
１７    一時記憶部
１７ａ，２１ｃ    通話中表示画面データ
１８    記憶部
１８ａ，２０ａ，２１ａ    ユーザデータ
１８ｂ，１８ｂ’，２０ｂ，２０ｂ’，２１ｂ，２１ｂ’    通話中表示画面登録テーブル
１９    制御部
１９ａ    通話・通信処理部
１９ｂ    アプリケーション実行部
１９ｃ    通話中表示画面登録部
１９ｄ    通話中表示画面読出部
１９ｅ    通話中表示画面表示部
２０    フラッシュメモリ
２１    ＲＡＭ
２２    ＲＯＭ
２２ａ    通話・通信処理プログラム
２２ｂ    アプリケーション実行プログラム
２２ｃ    通話中表示画面登録プログラム
２２ｄ    通話中表示画面読出プログラム
２２ｅ    通話中表示画面表示プログラム
２３    ＣＰＵ
２３ａ    通話・通信処理プロセス
２３ｂ    アプリケーション実行プロセス
２３ｃ    通話中表示画面登録プロセス
２３ｄ    通話中表示画面読出プロセス
２３ｅ    通話中表示画面表示プロセス
２４    バス
【図１】
0004491429.tif 000002
【図２】
0004491429.tif 000003
【図３】
0004491429.tif 000004
【図４】
0004491429.tif 000005
【図５】
0004491429.tif 000006
【図６】
0004491429.tif 000007
【図７】
0004491429.tif 000008
【図８】
0004491429.tif 000009
【図９】
0004491429.tif 000010
【図１０】
0004491429.tif 000011
【図１１】
0004491429.tif 000012